(57)【特許請求の範囲】
【請求項１】
底板及び該底板のエッジから上側に延長された側壁を含んで収納空間を形成する収納容器と、
前記収納空間内に配置され、光が放出される発光領域及び該発光領域の外郭に形成された外郭領域を有する上面を含む発光基板、該発光基板の上面の発光領域上に装着された複数の発光ダイオード、及び前記発光基板の上面の外郭領域上に装着され該発光ダイオードを制御する駆動回路部を含む少なくとも１つの光発生ユニットと、
前記発光基板の上面の発光領域上に付着されて前記発光ダイオードが貫通するように複数の発光溝を有して前記発光基板の上面に付着される中央シート部、前記中央シート部の端部から外郭方向に傾斜するように延長され前記発光基板の上面の外郭領域の上部に配置され前記駆動回路部をカバーして、一端部が前記側壁の上端に付着された第１カバーシート部及び前記中央シート部の端部から外郭方向に傾斜するように延長され側壁の傾斜部に付着される第２カバーシート部を含む反射シートと、を備えることを特徴とするバックライトアセンブリ。
【請求項２】
前記側壁は、
前記底板のエッジから上側に延長された側部、及び該側部のエッジから前記収納空間の内側方向に延長された上板部を含み、前記カバーシート部の一部が前記上板部上に付着され、前記上板部は、前記駆動回路部の少なくとも一部をカバーすることを特徴とする請求項１記載のバックライトアセンブリ。
【請求項３】
前記側壁は、
前記底板のエッジから上側に延長された側部、及び該側部のエッジから前記収納容器の外側方向に延長された上板部を含み、前記カバーシート部の一部が前記上板部上に付着されることを特徴とする請求項１記載のバックライトアセンブリ。
【請求項４】
前記カバーシート部は、
前記中央シート部と分離されて前記発光基板の上面上に付着され、固定された形状を有し光を反射させる金属物質からなることを特徴とする請求項１記載のバックライトアセンブリ。
【請求項５】
前記反射シートは、前記中央シート部の端部から外郭方向に傾斜するように延長されて前記側壁に付着される第３及び第４カバーシート部を更に含み、
前記底板は、実質的に長方形プレート形状を有し、
前記側壁は、前記底板の４辺と対応する第１乃至第４側壁を含み、
前記第１乃至第４カバーシート部のそれぞれは、前記第１乃至第４側壁のそれぞれに対応して配置され、
前記駆動回路部は、前記第１乃至第４側壁のうちの前記第１側壁を含む少なくとも１つの側壁に隣接する外郭領域に配置され、
前記第１乃至第４カバーシート部のうちの前記第１カバーシート部を含む少なくとも１つのカバーシート部は、前記駆動回路部をカバーするように前記発光基板の上面の外郭領域の上部に配置されることを特徴とする請求項１記載のバックライトアセンブリ。
【請求項６】
前記駆動回路部は、
前記発光基板の上面の外郭領域上に装着されて前記発光ダイオードと電気的に連結され、前記発光ダイオードに印加される電流のバランスが維持されるように前記発光ダイオードを制御する電流バランス部を含むことを特徴とする請求項１記載のバックライトアセンブリ。
【請求項７】
前記駆動回路部と電気的に連結されて前記駆動回路部を制御する発光制御ユニットを更に備えることを特徴とする請求項６記載のバックライトアセンブリ。
【請求項８】
前記駆動回路部は、前記発光基板の上面の外郭領域上に装着され、コネクター線を通じて前記発光制御ユニットと電気的に連結される内部コネクターを更に含み、
前記側壁は、前記コネクター線が貫通する貫通ホールを有することを特徴とする請求項７記載のバックライトアセンブリ。
【発明の詳細な説明】
【技術分野】
【０００１】
本発明は、バックライトアセンブリに関し、より詳細には、発光ダイオードを含むバックライトアセンブリに関する。
【背景技術】
【０００２】
一般に、液晶表示装置は、厚みが薄く、重量が軽く、電力消耗が少ないという長所があり、モニター、ノートパソコン、携帯電話のみならず、大型テレビにも使用される。液晶表示装置は、液晶の光透過率を用いて画像を表示する液晶表示パネル、及び液晶表示パネルの下部に配置されて液晶表示パネルに光を提供するバックライトアセンブリを含む。
【０００３】
液晶表示パネルは、マトリックス形態に配置された複数の薄膜トランジスタを有するアレイ基板、アレイ基板と対向するカラーフィルタ基板、及びアレイ基板とカラーフィルタ基板との間に介在する液晶層を含む。
【０００４】
バックライトアセンブリは、光源として複数の冷陰極蛍光ランプを採用することができるが、最近では低い電力消費及び高い色再現性を有する複数の発光ダイオードを採用している。即ち、バックライトアセンブリは、収納容器、及び収納容器内に配置された光発生ユニットを含み、光発生ユニットは、発光基板と、発光基板の上面上に装着された発光ダイオード及び電流バランス素子を含む。
【０００５】
発光ダイオードは、発光基板の上面の発光領域上に装着され、電流バランス素子は、発光領域の外郭である発光基板の上面の外郭領域上に装着される。ここで、電流バランス素子は、発光ダイオードに印加される電流のバランスを維持するために発光ダイオードを制御する。
【０００６】
一般に、電流バランス素子は光を発生しないので、外部に露出しないようにカバーすることが必要である。従って、バックライトアセンブリは、発光基板の上面の外郭領域の上部に配置されて電流バランス素子をカバーするサイドモールドを更に具備しなければならない。
【０００７】
このように、従来のバックライトアセンブリは、電流バランス素子をカバーするためのサイドモールドを具備することにより、バックライトアセンブリの製造費用がサイドモールドだけ増加することになる。
【発明の概要】
【発明が解決しようとする課題】
【０００８】
そこで、本発明は、上記従来の問題点に鑑みてなされたものであって、本発明の目的は、サイドモールドの省略によって製造費用を減少し得るバックライトアセンブリを提供することにある。
【課題を解決するための手段】
【０００９】
上記目的を達成するためになされた本発明の一特徴によるバックライトアセンブリは、収納容器、少なくとも１つの光発光ユニット、及び反射シートを備える。
【００１０】
前記収納容器は、底板及び該底板のエッジから上側に延長された側壁を含む。前記光発生ユニットは、前記収納容器内に配置された発光基板、該発光基板の上面の発光領域上に装着された複数の発光ダイオード、及び前記発光領域の外郭である前記発光基板の上面の外郭領域上に装着されて該発光ダイオードを制御する駆動回路部を含む。前記反射シートは、前記発光基板の上面の発光領域上に付着されて前記発光ダイオードが貫通するように複数の発光溝を有して前記発光基板の上面に付着される中央シート部、前記中央シート部の端部から外郭方向に傾斜するように延長され前記発光基板の上面の外郭領域の上部に配置され前記駆動回路部をカバーして、一端部が前記側壁の上端に付着された第１カバーシート部及び前記中央シート部の端部から外郭方向に傾斜するように延長され側壁の傾斜部に付着される第２カバーシート部を含む。
【００１１】
前記カバーシート部は、前記底板に対して前記収納容器の外郭方向に傾斜するように形成され得る。
【００１２】
前記側壁は、前記底板のエッジから上側に延長された側部、及び該側部のエッジから前記収納容器の内側方向に延長された上板部を含むことができ、前記カバーシート部の一部が前記上板部の上に付着され得る。前記上板部は、前記駆動回路部の少なくとも一部をカバーすることができる。
【００１３】
これと異なり、前記カバーシート部の一部は、前記側壁の内側面上に付着することもできる。更に他の実施例では、前記上板部は、前記側部のエッジから前記収納容器の外側方向に延長することができ、前記カバーシート部の一部は前記上板部上に付着され得る。
【００１４】
前記カバーシート部は、前記中央シート部の端部から延長されて形成され得る。これと異なり、前記カバーシート部は、前記中央シート部と分離されて前記発光基板の上面上に付着することもできる。ここで、前記カバーシート部は、固定された形状を有し光を反射させる金属物質からなることができる。
【００１５】
前記反射シートは、前記中央シート部の端部から外郭方向に傾斜するように延長されて前記側壁に付着される第３及び第４カバーシート部を更に含むことができ、前記底板は実質的に長方形プレート形状を有することができ、前記側壁は、前記底板の４辺と対応する第１乃至第４側壁を含むことができ、前記第１乃至第４カバーシート部のそれぞれは、前記第１乃至第４側壁のそれぞれに対応して配置され得る。
【００１６】
前記駆動回路部は、前記第１乃至第４側壁のうちの前記第１側壁を含む少なくとも１つの側壁に隣接する外郭領域に配置することができ、前記第１乃至第４カバーシート部のうちの前記第１カバーシート部を含む少なくとも１つのカバーシート部は、前記駆動回路部をカバーするように前記発光基板の上面の外郭領域の上部に配置され得る。
【００１７】
前記駆動回路部は、前記発光基板の上面の外郭領域上に装着されて前記発光ダイオードと電気的に連結され、前記発光ダイオードに印加される電流のバランスが維持されるように前記発光ダイオードを制御する電流バランス部を含むことができる。
【００１８】
前記バックライトアセンブリは、前記駆動回路部と電気的に連結されて前記駆動回路部を制御する発光制御ユニットを更に備えることができる。ここで、前記駆動回路部は、前記発光基板の上面の外郭領域上に装着され、コネクター線を通じて前記発光制御ユニットと電気的に連結される内部コネクターを更に含むことができる。又、前記側壁は、前記コネクター線が貫通する貫通ホールを有することができる。
【００１９】
本発明の表示装置は、光を用いて画像を表示する表示パネル、及び該表示パネルの下部に配置されて該表示パネルに光を提供するバックライトアセンブリを備えることができる。
【００２０】
前記バックライトアセンブリは、収納容器、少なくとも１つの光発生ユニット、及び反射シートを含む。前記収納容器は、底板及び該底板のエッジから上側に延長された側壁を含む。前記光発生ユニットは、前記収納容器内に配置された発光基板、該発光基板の上面の発光領域上に装着された複数の発光ダイオード、及び前記発光領域の外郭である前記発光基板の上面の外郭領域上に装着されて該発光ダイオードを制御する駆動回路部を含む。前記反射シートは、前記発光基板の上面の発光領域上に付着され、前記発光ダイオードが貫通するように複数の発光溝を有する中央シート部、及び前記発光基板の上面の外郭領域の上部に配置され前記駆動回路部をカバーして一部が前記側壁に付着されたカバーシート部を含む。
【００２１】
前記表示装置は、前記表示パネル及び前記バックライトアセンブリの間に配置され、前記バックライトアセンブリから発生した光の光学特性を向上させることができる光学シート類を更に備えることができる。前記収納容器は前記側壁から上部に突出し、前記側壁上に装着された前記光学シート類を固定させる少なくとも１つの固定突起を更に含むことができる。
【００２２】
前記カバーシート部は、前記底板に対して前記収納容器の外郭方向に傾斜するように形成され得る。前記側壁は、前記底板のエッジから上側に延長された側部、及び該側部のエッジから前記収納容器の内側方向に延長された上板部を含むことができ、前記カバーシート部の一部が前記上板部の上に付着され得る。
【発明の効果】
【００２３】
本発明のバックライトアセンブリによれば、反射シートのカバーシート部が側壁と付着されて発光基板の上面の外郭領域上に装着された駆動回路部をカバーすることにより、従来使用されていたサイドモールドを省略することができ、それによってバックライトアセンブリの製造費用を減少することができる。
【図面の簡単な説明】
【００２４】
【図１】本発明の実施例１による表示装置を概念的に示す断面図である。
【図２】図１に示す表示装置のバックライトアセンブリを示す平面図である。
【図３】図２に示すバックライトアセンブリの光発生ユニットを示す平面図である。
【図４】図２のＩ−Ｉ’線に沿って切断した断面図である。
【図５】図２のＩＩ−ＩＩ’線に沿って切断した断面図である。
【図６】図２に示すバックライトアセンブリの光発生ユニットと発光制御ユニットとの間の電気的な連結関係を示す平面図である。
【図７】本発明の実施例２による表示装置のバックライトアセンブリを示す断面図である。
【図８】本発明の実施例３による表示装置のバックライトアセンブリを示す断面図である。
【図９】本発明の実施例４による表示装置のバックライトアセンブリを示す断面図である。
【発明を実施するための形態】
【００２５】
以下、本発明のバックライトアセンブリを実施するための形態の具体例を、図面を参照しながら詳細に説明する。
【００２６】
本発明は、多様に変更することができ、多様な形態を有することができる。特定の実施形態を図面に例示して本文中で詳細に説明するが、これは、本発明を特定の開示形態に限定するのではなく、本発明の思想及び技術範囲に含まれる全ての変更、均等物、或いは代替物を含むことを理解すべきである。各図面を説明しながら類似の参照符号を類似の構成要素に対して付与した。図面において、構造物の寸法は本発明の明確性のために実際より拡大して示した。第１、第２等の用語は、多様な構成要素を説明するために使用することができるが、構成要素は用語によって限定されない。用語は一つの構成要素を他の構成要素から区別する目的としてのみ使用される。例えば、本発明の権利範囲から逸脱することなしに、第１構成要素は第２構成要素と称されてもよく、同様に第２構成要素も第１構成要素に称されてもよい。単数の表現は、文脈上、明白に相違が示されない限り、複数の表現を含む。
【００２７】
本出願において、「含む」又は「有する」等の用語は、明細書上に記載された特徴、数字、段階、動作、構成要素、部品、又はこれらを組み合わせたものが存在することを意図するものであって、一つ又はそれ以上の他の特徴や数字、段階、動作、構成要素、部品、又はこれらを組み合わせたもの等の存在又は付加の可能性を予め排除しないことを理解しなければならない。なお、異なるものとして定義しない限り、技術的であるか科学的な用語を含めてここで用いられる全ての用語は、本発明が属する技術分野において通常の知識を有する者によって一般的に理解されるものと同一の意味を有している。一般的に用いられる辞典に定義されているもののような用語は、関連技術の文脈上で有する意味と一致する意味を有するものと解釈すべきであり、本出願で明白に定義されない限り、異常に或いは過度に形式的な意味に解釈されない。
【００２８】
＜実施例１＞
図１は、本発明の実施例１による表示装置を概念的に示す断面図である。
【００２９】
図１を参照すると、本実施例による表示装置ＤＡは、表示パネル１００、バックライトアセンブリＢＬ、及び光学シート類２００を含む。
【００３０】
表示パネル１００は、光を用いて画像を表示する。例えば、表示パネル１００は、第１基板１１０、第２基板１２０、及び液晶層１３０を含むことができる。
【００３１】
第１基板１１０は、複数の信号線、信号線と電気的に連結された複数の薄膜トランジスタ、及び薄膜トランジスタと電気的に連結された画素電極を含むことができる。
【００３２】
第２基板１２０は、第１基板１１０と対向して配置され、画素電極と対応する位置に配置されたカラーフィルタ、及び基板の全面に配置された共通電極を含むことができる。ここで、カラーフィルタは、第２基板１２０に含まれずに、第１基板１１０に含まれ得る。
【００３３】
液晶層１３０は、第１基板１１０と第２基板１２０との間に配置され、画素電極と共通電極との間に形成された電場によって配列が変更され、これによって、液晶層の光透過率が変更される。
【００３４】
バックライトアセンブリＢＬは、表示パネル１００の下部に配置され、表示パネル１００に光を提供する。
【００３５】
光学シート類２００は、バックライトアセンブリＢＬ及び表示パネル１００の間に配置される。光学シート類２００は、バックライトアセンブリＢＬから発生した光の光学特性を向上させる。
【００３６】
例えば、光学シート類２００は、拡散板２１０、第１プリズムシート２２０、及び第２プリズムシート２３０を含むことができる。拡散板２１０は、バックライトアセンブリＢＬから発生した光の輝度均一性を向上させ、第１及び第２プリズムシート２２０、２３０は、バックライトアセンブリＢＬから発生した光の正面輝度を増加させる。
【００３７】
図２は、図１に示す表示装置のバックライトアセンブリを示す平面図であり、図３は、図２に示すバックライトアセンブリの光発生ユニットを示す平面図である。図４は、図２のＩ−Ｉ’に沿って切断した断面図であり、図５は、図２のＩＩ−ＩＩ’に沿って切断した断面図である。
【００３８】
図２〜図５を参照すると、本実施例によるバックライトアセンブリＢＬは、収納容器３００、少なくとも１つの光発生ユニット４００、反射シート５００、及び発光制御ユニット６００を含むことができる。
【００３９】
収納容器３００は、プレート形状を有する底板３１０、及び底板３１０のエッジから上側に延長された側壁３２０を含んで収納空間を形成する。ここで、収納容器３００は、例えば、ボトムシャーシでもよい。
【００４０】
底板３１０は、平面的に見たとき、実質的に第１〜第４辺で構成された長方形形状を有する。即ち、底板３１０は、第１〜第４辺とそれぞれ対応する第１〜第４エッジを有する。例えば、底板３１０は、平面的に見たとき、第１方向ＤＩ１の長さが第１方向ＤＩ１と直交する第２方向ＤＩ２の長さより長い長方形形状を有してもよい。
【００４１】
側壁３２０は、底板３１０の第１〜第４エッジからそれぞれ上側に延長された第１〜第４側壁３２２、３２４、３２６、３２８を含む。ここで、第１及び第２側壁３２２、３２４は、第１方向ＤＩ１に沿って互いに向き合うように配置され、第３及び第４側壁３２６、３２８は、第２方向ＤＩ２に沿って互いに向き合うように配置される。
【００４２】
第１〜第４側壁３２２、３２４、３２６、３２８のうちの少なくとも１つの側壁は、その断面を見たとき、Ｌ字形状を有し、少なくとも１つの側壁を除いた残りの側壁は、断面を見たとき、一字形状又はＵ字形状を有することができる。例えば、図４及び図５のように、第１及び第２側壁３２２、３２４の断面がＬ字形状を有し、第３及び第４側壁３２６、３２８の断面はＵ字形状を有することができる。
【００４３】
第１側壁３２２は、底板３１０の第１エッジから上側に延長された第１側部３２２ａ、及び第１側部３２２ａから収納空間の内側方向に延長された第１上板部３２２ｂを含む。
【００４４】
第２側壁３２４は、底板３１０の第２エッジから上側に延長された第２側部３２４ａ、及び第２側部３２４ａから収納空間の内側方向に延長された第２上板部３２４ｂを含む。
【００４５】
第３側壁３２６は、底板３１０の第３エッジから延長された傾斜部を含み、第４側壁３２８は、底板３１０の第４エッジから延長された傾斜部を含む。傾斜部のそれぞれは、底板３１０に対して収納空間の外郭方向に傾斜するように形成される。
【００４６】
一方、第１〜第４側壁３２２、３２４、３２６、３２８の上面には、図１に示した光学シート類２００を装着することができる。本実施例による収納容器３００は、第１〜第４側壁３２２、３２４、３２６、３２８の上面から上側に突出した少なくとも１つの固定突起３３０を含むことができる。固定突起３３０は、光学シート類２００の水平方向への流動を防止することができる。
【００４７】
光発生ユニット４００は、収納容器３００の収納空間内に配置される。光発生ユニット４００は、発光基板４１０、複数の発光ダイオード４２０、及び駆動回路部４３０を含む。例えば、図３に示すように、４つの光発生ユニット４００を２行２列に配列することができる。
【００４８】
発光基板４１０は、収納容器３００の底板３１０上に配置される。発光基板４１０は、底板３１０と向き合う下面、及び下面の逆側である上面を有する。発光基板４１０の上面は、光を発生するための発光領域ＡＲ１、及び発光領域ＡＲ１の外郭に形成された外郭領域ＡＲ２に区分される。
【００４９】
発光ダイオード４２０は、発光基板４１０の上面の発光領域ＡＲ１上に装着される。発光ダイオード４２０は、赤色発光ダイオード、緑色発光ダイオード、及び青色発光ダイオードを含むか、又は、白色発光ダイオードを含むことができる。
【００５０】
駆動回路部４３０は、発光基板４１０の上面の外郭領域ＡＲ２上に装着される。駆動回路部４３０は、発光ダイオード４２０と電気的に連結されて発光ダイオード４２０の駆動を制御する。即ち、発光ダイオード４２０は、駆動回路部４３０によって制御されて光を発生する。
【００５１】
駆動回路部４３０は、例えば、電流バランス部４３２及び内部コネクター４３４を含むことができる。
【００５２】
電流バランス部４３２は、発光基板４１０の上面の外郭領域ＡＲ２上に装着されて発光ダイオード４２０と電気的に連結され、発光ダイオード４２０に印加される電流のバランスが維持されるように発光ダイオード４２０を制御することができる。
【００５３】
内部コネクター４３４は、発光基板４１０の上面の外郭領域ＡＲ２上に装着されて発光ダイオード４２０又は電流バランス部４３２と電気的に連結される。
【００５４】
本実施例において、４つの光発生ユニット４００は分離されて配置されたものとして説明したが、これと異なり、一体型に互いに連結され得る。即ち、４つの発光基板４１０が互いに連結された一体型の発光基板を収納容器３００の底板３１０上に配置することができる。
【００５５】
一体型の発光基板の上面は、光を発生する発光領域ＡＲ１、及び発光領域ＡＲ１の外郭に形成された外郭領域ＡＲ２を含むことができる。外郭領域ＡＲ２は、第１〜第４側壁３２２、３２４、３２６、３２８のうちの少なくとも１つの側壁と対応する位置に形成され、駆動回路部４３０が装着される。例えば、一体型の発光基板の上面は、第１側壁３２２に隣接する第１外郭領域、第２側壁３２４に隣接する第２外郭領域、及び第１外郭領域ＡＲ２及び第２外郭領域ＡＲ２の間に配置された発光領域ＡＲ１を有することができ、第１及び第２外郭領域ＡＲ１のそれぞれには駆動回路部４３０が配置される。
【００５６】
一方、本実施例による側壁３２０は、内部コネクター４３４と対応する位置に形成された貫通ホール１０を有することができる。例えば、図４に示すように、第１及び第２側壁３２２、３２４のそれぞれは、貫通ホール１０を有することができる。
【００５７】
反射シート５００は、発光基板４１０の上面に付着されて発光ダイオード４２０から発生した光を反射させる。例えば、反射シート５００は、接着物質によって発光基板４１０の上面に付着することができる。
【００５８】
反射シート５００は、中央シート部５１０、及び中央シート部５１０と連結されたカバーシート部５２０を含む。
【００５９】
中央シート部５１０は、発光基板４１０の上面の発光領域ＡＲ１上に付着される。中央シート部５１０は、発光ダイオード４２０が貫通するように複数の発光溝５１２を有する。
【００６０】
カバーシート部５２０は、中央シート部５１０の端部と連結され、駆動回路部４３０をカバーするように発光基板４１０の上面の外郭領域ＡＲ２の上部に配置することができる。カバーシート部５２０は、例えば、第１〜第４側壁３２２、３２４、３２６、３２８と対応する第１〜第４カバーシート部５２２、５２４、５２６、５２８を含むことができる。
【００６１】
第１カバーシート部５２２は、中央シート部５１０の第１端部と連結され、第１カバーシート部５２２の一端部は、発光基板４１０の上面に付着され、第１カバーシート部５２２の他の端部は、第１側壁３２２の第１上板部３２２ｂの上面に付着される。ここで、第１カバーシート部５２２の他の一部は、第１側壁３２２の第１上板部３２２ｂの下面に付着することもできる。これによって、第１カバーシート部５２２は、発光基板４１０の上面の第１外郭領域ＡＲ２上に配置された駆動回路部４３０をカバーすることができる。
【００６２】
第１カバーシート部５２２は、発光ダイオード４２０から発生した光の反射効率を増加させるために、底板３１０に対して収納容器３００の外郭方向に傾斜するように形成することができる。又、第１側壁３２２の第１上板部３２２ｂは、第１外郭領域ＡＲ２に形成された駆動回路部４３０をカバーすることができる長さに第１側部３２２ａのエッジから延長することができる。
【００６３】
第２カバーシート部５２４は、第１端部と対向する中央シート部５１０の第２端部と連結される。第２カバーシート部５２４は、第２外郭領域の上部に配置されることを除くと、第１カバーシート部５２２と実質的に同じなので、これに対する詳細な説明は省略する。
【００６４】
第３カバーシート部５２６は、中央シート部５１０の第３端部と連結され、第３側壁３２６の第１傾斜部上に付着される。第４カバーシート部５２８は、第３端部と対向する中央シート部５１０の第４端部と連結され、第４側壁３２８の傾斜部上に付着される。
【００６５】
図６は、図２に示すバックライトアセンブリの光発光ユニットと発光制御ユニットとの間の電気的な連結関係を示す平面図である。
【００６６】
図４及び図６を参照すると、発光ダイオード４２０は、複数の発光ダイオードストリング４２５に区分することができる。例えば、図６に示すように、３つの発光ダイオードストリング４２５を発光基板４１０の上面の発光領域ＡＲ１上に配置することができる。
【００６７】
電流バランス部４３２は、発光ダイオードストリング４２５とそれぞれ連結される複数の電流バランス素子４３２ａを含むことができる。例えば、電流バランス素子４３２ａのそれぞれは、発光ダイオードストリング４２５のそれぞれに印加される電流のバランスを維持させることができる少なくとも１つのトランジスタを含むことができる。
【００６８】
内部コネクター４３４は、電流バランス素子４３２ａ及び発光ダイオードストリング４２５と電気的に連結される。内部コネクター４３４は、貫通ホール１０を貫通するコネクター線２０を通じて発光制御ユニット６００と電気的に連結される。
【００６９】
一方、発光制御ユニット６００は、収納容器３００の底板３１０の背面上に配置することができる。発光制御ユニット６００は、制御基板６１０、外部コネクター６２０、駆動電圧発生部６３０、及びＰＷＭ制御部６４０を含むことができる。
【００７０】
制御基板６１０は、底板３１０の背面上に配置される。外部コネクター６２０は制御基板６１０の一面上に配置され、コネクター線２０を通じて内部コネクター４３４と電気的に連結される。
【００７１】
駆動電圧発生部６３０は、制御基板６１０の一面上に配置され、外部コネクター６２０と電気的に連結される。駆動電圧発生部６３０は、外部から入力電圧Ｖｉｎ及びグラウンド電圧の印加を受け、入力電圧Ｖｉｎを用いて駆動電圧Ｖｄを出力する。駆動電圧Ｖｄは、入力電圧Ｖｉｎを昇圧した電圧であり得る。例えば、入力電圧Ｖｉｎは５Ｖの直流電圧で、駆動電圧は２４Ｖの直流電圧である。
【００７２】
ＰＷＭ制御部６４０は、制御基板６１０の一面上に配置され、駆動電圧発生部６３０と電気的に連結される。ＰＷＭ制御部６４０は、発光ダイオードストリング４２５をローカルディミング方式で駆動させるためのＰＷＭ（Ｐｕｌｓｅ  Ｗｉｄｔｈ  Ｍｏｄｕｌａｔｉｏｎ）制御信号ＣＯＮを駆動電圧発生部６３０に提供することができる。即ち、駆動電圧発生部６３０は、ＰＷＭ制御信号ＣＯＮに応答して、発光ダイオードストリング４２５をローカルディミング方式で駆動させることができる駆動電圧Ｖｄを出力することができる。
【００７３】
一方、駆動電圧Ｖｄは、外部コネクター６２０及び内部コネクター４３４を経由して発光ダイオードストリング４２５の一端に印加される。又、発光ダイオードストリング４２５の他端と電気的に連結された電流バランス素子から発生したフィードバック信号ＦＢは、外部コネクター６２０及び内部コネクター４３４を経由して駆動電圧発生部６３０に印加される。駆動電圧発生部６３０は、フィードバック信号ＦＢを用いて発光ダイオードストリング４２５に印加される電圧又は電流を精密に制御することができる。
【００７４】
本実施例において、駆動電圧発生部６３０及びＰＷＭ制御部６４０は、同じ制御基板６１０の一面上に配置されるものと説明したが、駆動電圧発生部６３０及びＰＷＭ制御部６４０は、互いに異なる制御基板上にそれぞれ配置され得る。
【００７５】
本実施例によると、中央シート部の端部から延長されたカバーシート部の一部が側壁の上板部の上面及び底板の上面に付着されることにより、カバーシート部は、発光基板の上面の外郭領域上に配置された駆動回路部をカバーすることができる。これによって、駆動回路部をカバーするために使用されていたサイドモールドが省略され、バックライトアセンブリの製造費用をより減少することができる。
【００７６】
＜実施例２＞
図７は、本発明の実施例２による表示装置のバックライトアセンブリを示す断面図である。
【００７７】
本実施例による表示装置は、反射シート５００のカバーシート部５２０を除くと、図１〜図６を通じて説明した実施例１による表示装置と実質的に同じなので、カバーシート部５２０を除いた残りの構成要素に対する詳細な説明は省略し、図１〜図６と同じ部材には同じ参照符号を付与する。
【００７８】
図２及び図７を参照すると、本実施例によるカバーシート部５２０は、中央シート部５１０と分離され、駆動回路部４３０をカバーするように発光基板４１０の上面の外郭領域ＡＲ２の上部に配置することができる。
【００７９】
カバーシート部５２０は、第１〜第４側壁３２２、３２４、３２６、３２８と対応する第１〜第４カバーシート部５２２、５２４、５２６、５２８を含むことができる。ここで、第１〜第４カバーシート部５２２、５２４、５２６、５２８のうち、少なくとも１つのカバーシート部が中央シート部５１０と分離され、残りのカバーシート部は中央シート部５１０と連結され得る。例えば、第１及び第２カバーシート部５２２、５２４は中央シート部５１０と分離され、第３及び第４カバーシート部５２６、５２８は、中央シート部５１０と連結され得る。
【００８０】
第１カバーシート部５２２は、中央シート部５１０の第１端部と分離され、第１カバーシート部５２２の一部は、発光基板４１０の上面の発光領域ＡＲ１上に付着され、第１カバーシート部５２２の他の一部は、第１側壁３２２の第１上板部３２２ｂの上面に付着される。ここで、第１カバーシート部５２２の他の一部は、第１側壁３２２の第１上板部３２２ｂの下面に付着することもできる。従って、第１カバーシート部５２２は、発光基板４１０の上面の外郭領域ＡＲ２上に配置された駆動回路部４３０をカバーすることができる。
【００８１】
第１カバーシート部５２２は、発光ダイオード４２０から発生した光の反射効率を増加させるために底板３１０に対して収納容器３００の外郭方向に傾斜するように形成することができる。又、第１側壁３２２の第１上板部３２２ｂは、駆動回路部４３０をカバーすることができる長さに第１側部３２２ａのエッジから延長することができる。
【００８２】
第２カバーシート部５２４は、第１端部と対向する中央シート部５１０の第２端部と分離される。第２カバーシート部５２４は、第１カバーシート部５２２の逆側に配置されたことを除くと、第１カバーシート部５２２と実質的に同じなので、これに対する詳細な説明は省略する。
【００８３】
第３カバーシート部５２６は、中央シート部５１０の第３端部と連結され、第３側壁３２６の傾斜部上に付着される。第４カバーシート部５２８は、第３端部と対向する中央シート部５１０の第４端部と連結され、第４側壁３２８の傾斜部上に付着される。
【００８４】
一方、中央シート部５１０と分離された第１及び第２カバーシート部５２２、５２４は、光を反射させることができ、固定された形状を有するように金属物質で形成することもできる。
【００８５】
本実施例によると、中央シート部と分離されたカバーシート部が発光基板の上面の外郭領域上に配置されることにより、駆動回路部をカバーすることができる。これによって、駆動回路部をカバーするために使用されていたサイドモールドが省略され、バックライトアセンブリの製造費用をより減少することができる。
【００８６】
一方、カバーシート部が中央シート部と分離されることにより、中央シート部をまず発光基板の上面に付着した後、カバーシート部を上述した位置に付着することができる。これによって、反射シートの設置作業が従来に比べて容易になる。又、カバーシート部が固定された形状を有するように金属物質からなる場合、カバーシート部の設置作業がより容易になる。
【００８７】
＜実施例３＞
図８は、本発明の実施例３による表示装置のバックライトアセンブリを示す断面図である。
【００８８】
本実施例による表示装置は、収納容器３００の側壁３２０及び反射シート５００のカバーシート部５２０を除くと、図１〜図６を通じて説明した実施例１による表示装置と実質的に同じなので、側壁３２０及びカバーシート部５２０を除いた残りの構成要素に対する詳細な説明は省略し、図１〜図６と同じ部材には同じ参照符号を付与する。
【００８９】
図２及び図８を参照すると、本実施例による側壁３２０は、底板３１０の第１〜第４エッジからそれぞれ上側に延長された第１〜第４側壁３２２、３２４、３２６、３２８を含む。
【００９０】
第１及び第２側壁３２２、３２４は、第１方向ＤＩ１に沿って互いに向き合うように配置され、第３及び第４側壁３２６、３２８は、第２方向ＤＩ２に沿って互いに向き合うように配置される。第１〜第４側壁３２２、３２４、３２６、３２８のうち、少なくとも１つ以上は、その断面を見たとき、一字形状を有することができる。例えば、第１及び第２側壁３２２、３２４は一字形状の断面を有し、第３及び第４側壁３２６、３２８はＵ字形状の断面を有することができる。これと異なり、第１〜第４側壁３２２、３２４、３２６、３２８は、全て一字形状の断面を有することができる。
【００９１】
本実施例によるカバーシート部５２０は、中央シート部５１０の端部と連結され、駆動回路部４３０をカバーするように発光基板４１０の上面の外郭領域ＡＲ２の上部に配置することができる。カバーシート部５２０は、第１〜第４側壁３２２、３２４、３２６、３２８と対応する第１〜第４カバーシート部５２２、５２４、５２６、５２８を含むことができる。
【００９２】
第１カバーシート部５２２は、中央シート部５１０の第１端部と連結され、第１カバーシート部５２２の一部は、発光基板４１０の上面の発光領域ＡＲ１上に付着され、第１カバーシート部５２２の他の一部は、第１側壁３２２の内側面に付着される。これによって、第１カバーシート部５２２は、発光基板４１０の上面の外郭領域ＡＲ２上に配置された駆動回路部４３０をカバーすることができる。
【００９３】
第１カバーシート部５２２は、発光ダイオード４２０から発生した光の反射効率を増加させるために、底板３１０に対して収納容器３００の外郭方向に傾斜するように形成することができる。
【００９４】
第２カバーシート部５２４は、第１端部と対向する中央シート部５１０の第２端部と連結される。第２カバーシート部５２４は、第１カバーシート部５２２の逆側に配置されたことを除くと、第１カバーシート部５２２と実質的に同じなので、これについての詳細な説明は省略する。
【００９５】
第３カバーシート部５２６は、中央シート部５１０の第３端部と連結され、第３カバーシート部５２６の一部は、発光基板４１０の上面に付着され、第３カバーシート部５２６の一部は、第３側壁３２６の内側面の上端に付着することができる。又、第４カバーシート部５２８は、第３端部と対向する中央シート部５１０の第４端部と連結され、第４カバーシート部５２８の一部は、発光基板４１０の上面に付着され、第４カバーシート部５２８の一部は、第４側壁３２８の内側面の上端に付着することができる。
【００９６】
一方、発光基板４１０の上面は、第３側壁３２６と隣接する第３外郭領域、又は第４側壁３２８と隣接する第４外郭領域を更に含むことができる。第３及び第４カバーシート部５２６、５２８は、第３外郭領域及び第４外郭領域に形成された駆動回路部４３０をカバーすることができる。
【００９７】
本実施例によると、中央シート部と連結されたカバーシート部の一部が側壁の内側面の上端に付着されることにより、発光基板の上面の外郭領域上に配置された駆動回路部をカバーすることができる。これによって、駆動回路部をカバーするために使用されていたサイドモールドが省略され、バックライトアセンブリの製造費用をより減少することができる。
【００９８】
＜実施例４＞
図９は、本発明の実施例４による表示装置のバックライトアセンブリを示す断面図である。
【００９９】
本実施例による表示装置は、収納容器３００の側壁３２０及び反射シート５００のカバーシート部５２０を除くと、図１〜図６を通じて説明した実施例１による表示装置と実質的に同じなので、側壁３２０及びカバーシート部５２０を除いた残りの構成要素に対する詳細な説明は省略し、図１〜図６と同じ部材には同じ参照符号を付与する。
【０１００】
図２及び図９を参照すると、本実施例による側壁３２０は、底板３１０の第１〜第４エッジからそれぞれ上側に延長された第１〜第４側壁３２２、３２４、３２６、３２８を含む。一方、第１〜第４側壁３２２、３２４、３２６、３２８の上面には図１に示した光学シート類２００を装着することができる。
【０１０１】
第１及び第２側壁３２２、３２４は、第１方向ＤＩ１に沿って互いに向き合うように配置され、第３及び第４側壁３２６、３２８は、第２方向ＤＩ２に沿って互いに向き合うように配置される。
【０１０２】
第１〜第４側壁３２２、３２４、３２６、３２８のうち、少なくとも１つの側壁は、その断面を見たとき、Ｌ字形状又はＵ字形状を有することができる。例えば、第１〜第４側壁３２２、３２４、３２６、３２８の断面の全ては、Ｌ字形状を有することができる。
【０１０３】
第１側壁３２２は、底板３１０の第１エッジから上側に延長された第１側部３２２ａ、及び第１側部３２２ａから収納容器３００の外側方向に延長された第１上板部３２２ｂを含む。
【０１０４】
第２側壁３２４は、底板３１０の第２エッジから上側に延長された第２側部３２４ａ、及び第２側部３２４ａから収納容器３００の外側方向に延長された第２上板部３２４ｂを含む。
【０１０５】
第３側壁３２６は、底板３１０の第３エッジから上側に延長された第３側部（図示せず）、及び第３側部から収納容器３００の外側方向に延長された第３上板部（図示せず）を含む。
【０１０６】
第４側壁３２８は、底板３１０の第４エッジから上側に延長された第４側部（図示せず）、及び第４側部から収納容器３００の外側方向に延長された第４上板部（図示せず）を含む。
【０１０７】
本実施例によるカバーシート部５２０は、中央シート部５１０の端部と連結され、駆動回路部４３０をカバーするように発光基板４１０の上面の外郭領域ＡＲ２の上部に配置することができる。カバーシート部５２０は、例えば、第１〜第４側壁３２２、３２４、３２６、３２８と対応する第１〜第４カバーシート部５２２、５２４、５２６、５２８を含むことができる。
【０１０８】
第１カバーシート部５２２は、中央シート部５１０の第１端部と連結され、第１カバーシート部５２２の一部は、発光基板４１０の上面の発光領域ＡＲ１上に付着され、第１カバーシート部５２２の他の一部は、第１側壁３２２の第１上板部３２２ｂの上面に付着される。これによって、第１カバーシート部５２２は、発光基板４１０の上面の外郭領域ＡＲ２上に配置された駆動回路部４３０をカバーすることができる。
【０１０９】
第１カバーシート部５２２は、発光ダイオード４２０から発生した光の反射効率を増加させるために底板３１０に対して、収納容器３００の外郭方向に傾斜するように形成することができる。
【０１１０】
第２カバーシート部５２４は、第１端部と対向する中央シート部５１０の第２端部と連結される。第２カバーシート部５２４は、第１カバーシート部５２２の逆側に配置されたことを除くと、第１カバーシート部５２２と実質的に同じなので、これに対する詳細な説明は省略する。
【０１１１】
第３カバーシート部５２６は、中央シート部５１０の第３端部と連結され、第３カバーシート部５２６の一部は、発光基板４１０の上面の発光領域ＡＲ１上に付着され、第３カバーシート部５２６の他の一部は、第３側壁３２６の第３上板部の上面に付着される。第３カバーシート部５２６は、発光ダイオード４２０から発生した光の反射効率を増加させるために、底板３１０に対して収納容器３００の外郭方向に傾斜するように形成することができる。
【０１１２】
第４カバーシート部５２８は、第３端部と対向する中央シート部５１０の第４端部と連結される。第４カバーシート部５２８は、第３カバーシート部５２６の逆側に配置されたことを除くと、第３カバーシート部５２６と実質的に同じなので、これに対する詳細な説明は省略する。
【０１１３】
一方、発光基板４１０の上面は、第３側壁３２６と隣接する第３外郭領域、又は第４側壁３２８と隣接する第４外郭領域を更に含むことができる。第３及び第４カバーシート部５２６、５２８は、第３外郭領域及び第４外郭領域に形成された駆動回路部４３０をカバーすることができる。
【０１１４】
本実施例によると、中央シート部と連結されたカバーシート部の一部が収納容器の外側方向に延長された側壁の上板部の上面に付着されることにより、発光基板の上面の外郭領域上に配置された駆動回路部をカバーすることができる。これによって、駆動回路部をカバーするために使用されていたサイドモールドが省略され、バックライトアセンブリの製造費用をより減少することができる。
【０１１５】
上述した本発明によると、中央シート部と連結されるか、分離されたカバーシート部の一部が、収納容器の内側又は外側方向に延長された側壁の上板部の上面に付着されるか、側壁の内側面の上端に付着され得る。これによって、カバーシート部は、発光基板の上面の外郭領域上に配置された駆動回路部をカバーすることができ、その結果、駆動回路部をカバーするために使用されていたサイドモールドが省略され、バックライトアセンブリの製造費用を減少することができる。
【０１１６】
以上、図面を参照しながら本発明の実施形態について詳細に説明したが、本発明は、上述の実施形態に限定されるものではなく、本発明の技術的範囲から逸脱しない範囲内で多様に変更実施することが可能である。
【符号の説明】
【０１１７】
１０    貫通ホール
２０    コネクター線
１００    表示パネル
１１０    第１基板
１２０    第２基板
１３０    液晶層
２００    光学シート類
２１０    拡散板
２２０    第１プリズムシート
２３０    第２プリズムシート
３００    収納容器
３１０    底板
３２０    側壁
３２２    第１側壁
３２２ａ    第１側部
３２２ｂ    第１上板部
３２４    第２側壁
３２４ａ    第２側部
３２４ｂ    第２上板部
３２６    第３側壁
３２８    第４側壁
３３０    固定突起
４００    光発生ユニット
４１０    発光基板
４２０    発光ダイオード
４２５    発光ダイオードストリング
４３０    駆動回路部
４３２    電流バランス部
４３２ａ    電流バランス素子
４３４    内部コネクター
５００    反射シート
５１０    中央シート部
５１２    発光溝
５２０    カバーシート部
５２２    第１カバーシート部
５２４    第２カバーシート部
５２６    第３カバーシート部
５２８    第４カバーシート部
６００    発光制御ユニット
６１０    制御基板
６２０    外部コネクター
６３０    駆動電圧発生部
６４０    ＰＷＭ制御部
ＡＲ１    発光領域
ＡＲ２    外郭領域
ＢＬ    バックライトアセンブリ
ＤＡ    表示装置
【図１】
0005511229.tif 000002
【図２】
0005511229.tif 000003
【図３】
0005511229.tif 000004
【図４】
0005511229.tif 000005
【図５】
0005511229.tif 000006
【図６】
0005511229.tif 000007
【図７】
0005511229.tif 000008
【図８】
0005511229.tif 000009
【図９】
0005511229.tif 000010